(57)【要約】【課題】タワー型端末装置に、周辺装置を追加設置する際にも倒れにくい装置を提供すること。  【解決手段】タワー型端末装置１００はネジ２０によって上部台座プレート２２に固定されている。下部台座プレート２３の底部には、転倒防止用および設置面への傷防止用にゴムまたは粘着ゲルで形成された足２５が取り付けられている。オプションのタッチパネル型ディスプレイ３０を取付部１４に固定する場合、下部台座プレート２３を引き出し、新たな位置にネジ２４で固定する。下部台座プレート２３の比重は、上部台座プレート２２の比重より大きくし、さらに引き出した下部台座プレート２３の上に錘４０を追加する。【選択図】図４
2010218125.tif 000002
【特許請求の範囲】
【請求項１】
第1のタッチパネル型ディスプレイが取り付けられたタワー型端末装置本体と、前記第1のタッチパネル型ディスプレイと向きが異なる側にオプションで用意する第２のタッチパネル型ディスプレイと、前記第２のタッチパネル型ディスプレイを新たに取り付ける取付具と、前記タワー型端末装置を保持する台座プレートとを備え、
前記台座プレートは、第２のタッチパネル型ディスプレイ設置方向に台座プレートの長さを調整して固定できることを特徴とするタワー型端末装置。
【請求項２】
前記台座プレートは、上部、下部の２つの部材から構成され、上部台座プレートは前記タワー型端末装置を固定し、前記上部台座プレートと下部台座プレートはその位置関係をスライドして固定できる構造とすることを特徴とする請求項１記載のタワー型端末装置。
【請求項３】
前記台座プレートの下部台座プレートに使用する材料は、前記上部台座プレートに使用する材料より比重の大きいものを使用したことを特徴とする請求項２記載のタワー型端末装置。
【請求項４】
前記第２のタッチパネル型ディスプレイの設置方向にスライドし、固定された前記下部台座プレート上に、錘を固定することを特徴とする請求項２記載のタワー型端末装置。
【請求項５】
前記第２のタッチパネル型ディスプレイの設置方向にスライドし、固定された前記下部台座プレート上に、前記第２のタッチパネル型ディスプレイを前記取付具で固定することを特徴とする請求項２記載のタワー型端末装置。
【請求項６】
前記取付具は、前記第２のタッチパネル型ディスプレイの取付角度を変えられる可動機構を備え、
前記可動機構は、前記第２のタッチパネル型ディスプレイを操作する力の範囲では固定され、それ以上の力では、ある一定量可動することを特徴とする請求項１記載のタワー型端末装置。
【発明の詳細な説明】
【技術分野】
【０００１】
本発明は、タワー型端末装置にタッチパネル型の大型ディスプレイ等の周辺装置を追加して運用する際に転倒しにくい構造を備えたタワー型端末装置に関する。
【背景技術】
【０００２】
現在、ＰＯＳ（Point of Sales）端末の一実施形態として用いられるタワー型端末装置では、タッチパネル型ディスプレイが多く採用されている。タワー型端末装置では、タッチ型ディスプレイを操作者が使いやすい向きや位置に移動でき、さらに金額入力などのタッチパネル操作を行なうことが可能であるなどの有利な点を有する反面、タワー型という性質上、端末装置そのものが倒れやすくなってしまう問題点がある。
【０００３】
そこで、タワー型端末装置本体をネジ、ボルト等で固定するか、端末装置下部が大きくしっかりとした構造になっているのが通例であった（例えば、特許文献１、特許文献２）。
【０００４】
特に、タッチパネル型ディスプレイを用いるものでは、操作者の操作で予期せぬ力が働くため端末本体をネジ、ボルト等で固定することがほとんどである。
【０００５】
設置場所が固定可能なものに対しては、その設置場所に合わせた台座プレートを用意して固定という方法が採られるが、操作者によっては設置時に固定したくないというニーズもあるため、転倒しにくくかつ小型な台座プレートが必要になる。
【０００６】
最近では、店側（店員）が操作するタッチパネル型ディスプレイだけではなく客側にも大型なタッチパネル型ディスプレイを用意することもあり、さらに転倒しやすい状況にある。タワー型でありながら胴回りや台座プレートがしっかりとした大きな構造になってしまうことはデザインや設置場所の設定に対して制約を与えてしまう。折角の薄型タワー型の端末装置でありながら、結局はその形状におけるメリットを失うという問題点がある。
【先行技術文献】
【特許文献】
【０００７】
【特許文献１】特開２０００−１４１４０号公報
【特許文献２】特開平４−１５７２９５号公報
【発明の概要】
【発明が解決しようとする課題】
【０００８】
そこで本発明では、上記問題を解決するために、システム構成に応じてタワー型端末装置に周辺装置を追加設置する際にも倒れにくい装置を提供することを目的とする。
【課題を解決するための手段】
【０００９】
上記課題を解決するために、本発明の一態様によれば、
第1のタッチパネル型ディスプレイが取り付けられたタワー型端末装置本体と、前記第1のタッチパネル型ディスプレイと向きが異なる側にオプションで用意する第２のタッチパネル型ディスプレイと、前記第２のタッチパネル型ディスプレイを新たに取り付ける取付具と、前記タワー型端末装置を保持する台座プレートとを備え、
前記台座プレートは、第２のタッチパネル型ディスプレイ設置方向に台座プレートの長さを調整して固定できることを特徴とするタワー型端末装置が提供される。
【００１０】
さらに、前記台座プレートは、上部、下部の２つの部材から構成され、上部台座プレートは前記タワー型端末装置を固定し、前記上部台座プレートと下部台座プレートはその位置関係をスライドして固定できる構造とすることを特徴とするタワー型端末装置が提供される。
【００１１】
さらに、前記台座プレートの下部台座プレートに使用する材料は、前記上部台座プレートに使用する材料より比重の大きいものを使用したことを特徴とするタワー型端末装置が提供される。
【００１２】
さらに、前記第２のタッチパネル型ディスプレイの設置方向にスライドし、固定された前記下部台座プレート上に、錘を固定することを特徴とするタワー型端末装置が提供される。
【００１３】
さらに、前記第２のタッチパネル型ディスプレイの設置方向にスライドし、固定された前記下部台座プレート上に、前記第２のタッチパネル型ディスプレイを前記取付具で固定することを特徴とするタワー型端末装置が提供される。
【００１４】
さらに、前記取付具は、前記第２のタッチパネル型ディスプレイの取付角度を変えられる可動機構を備え、
前記可動機構は、前記第２のタッチパネル型ディスプレイを操作する力の範囲では固定され、それ以上の力では、ある一定量可動することを特徴とするタワー型端末装置が提供される。
【発明の効果】
【００１５】
本発明によれば、オプションで追加するタッチパネル型ディスプレイの重心移動と操作者のパネル操作の力を加味しているので、最小限のサイズの台座プレートでも倒れにくいタワー型端末装置が実現できる。
【図面の簡単な説明】
【００１６】
【図１】本発明の一実施形態に係るタワー型ＰＯＳ端末装置の外観を示す斜視図であり、同図（Ａ）は表側から、同図（Ｂ）は裏側からそれぞれ見た斜視図である。
【図２】本発明の一実施形態に係るタワー型ＰＯＳ端末装置本体の側面図である。
【図３】本発明の第１の実施形態に係るタワー型ＰＯＳ端末装置本体にオプションのディスプレイを取り付けた時の側面図である。
【図４】本発明の第２の実施形態に係るタワー型ＰＯＳ端末装置本体にオプションのディスプレイを取り付けた時の側面図である。
【図５】本発明の第３の実施形態に係るタワー型ＰＯＳ端末装置本体にオプションのディスプレイを取り付けた時の側面図である。
【発明を実施するための形態】
【００１７】
以下、本発明の実施形態について、図面を参照しながら詳細に説明する。尚、各図において同一箇所については同一の符号を付すとともに、重複した説明は省略する。本実施形態は、タワー型端末装置のうち、特にＰＯＳ端末装置において適用したものである。
【００１８】
図１は、本発明の一実施形態に係るタワー型ＰＯＳ端末装置の外観を示す斜視図であり、同図（Ａ）は表側から、同図（Ｂ）は裏側からそれぞれ見た斜視図である。このタワー型ＰＯＳ端末装置１００は、ＰＯＳ端末部１０、店側で使用するタッチパネル型ディスプレイ１１で構成されている。図１においては、客側で使用するためにオプションで取り付けるタッチパネル型ディスプレイは取り付けられていない。
【００１９】
ＰＯＳ端末部１０は、いずれも図示しないＣＰＵ（Central Processing Unit）、メモリ等が搭載されたマザーボード等の基板類、ＨＤＤ（Hard Disk Drive）、電源等が内側カバー１３の中に収納されている。マザーボードには、例えば汎用ＯＳがインストールされ、所定のアプリケーションで、タワー型ＰＯＳ端末装置１００は機能する。タッチパネル型ディスプレイ１１は、例えばタッチパネル式のＴＦＴ液晶ディスプレイ等が好適である。タッチパネル型ディスプレイ１１には、ＰＯＳ端末部１０内のマザーボードに格納されているアプリケーションに応じて、タワー型ＰＯＳ端末装置１００の操作画面が表示されるようになっている。このタワー型ＰＯＳ端末１００は、取付穴１２によってネジ止めされるが、この取付穴１２でじかに設置場所に固定する場合と、台座プレート上に固定する場合がある。図示しない大型のタッチパネルを、オプションで客側にも追加する場合には、カバー１３の取付部１４に図示しない取付具を用意してネジ止めして取り付けるのが通常である。
【００２０】
図２は、本発明の一実施形態に係るタワー型ＰＯＳ端末装置の側面図である。図１に示したタワー型ＰＯＳ端末装置１００を側面から見た図であり、取付穴１２を介してネジ２０によって台座プレート２１に固定されている。台座プレート２１は、上部台座プレート２２と下部台座プレート２３から形成され、ネジ２４によって固定されている。なお、ネジ２４を止めるネジ穴位置やネジ個数は台座プレートの形状によって変わるが、説明のため簡略化して図示した。また、台座プレート２１の底部には、転倒防止用および設置面への傷防止用に、ゴムまたは粘着ゲルで形成された足２５が取り付けられている。
【００２１】
タッチパネル型ディスプレイ１１は操作者が操作し易い位置または角度を選択できるように、例えば１０〜６０度の範囲で、回転可動部２６を用いてホームポジションから上方にチルト可能になっている（点線で示した）。店側の操作者の力２７を矢印で示した。
【００２２】
このタッチパネル型ディスプレイ１１の高さや角度を変化させても、店側の操作者の力２７のかかる方向に対し台座プレート２１は転倒しないような十分な長さを有している。
【００２３】
図３は、本発明の第１の実施形態に係るタワー型ＰＯＳ端末装置本体にオプションのディスプレイを取り付けた時の側面図である。オプションのタッチパネル型ディスプレイ３０は、客側に料金等を表示する他にタッチパネルにより操作が可能である。
【００２４】
オプションのタッチパネル型ディスプレイ３０をカバー１３の取付部１４に回転可動部付の取付具３１を用いて取り付ける。このとき、図２に示すオプションのタッチパネル型ディスプレイを取り付けていない場合に比べ、重心の位置は図面向かって右に移動するため、店側の操作の力２７によって倒れやすくなる。このため下部台座プレート２３を引き出し、新たな位置でネジ２４で固定する。そうすることで店側の操作の力２２によって転倒することを防止できる。
【００２５】
しかし、その一方でタッチパネル型ディスプレイ３０を取り付けたことによって新たな力、すなわち客側の操作の力３２を考慮する必要が生じる。
【００２６】
転倒を防止する上では、台座プレート２３を図面向かって左に伸ばすことが有効であるが、それでは台座プレート２１がタッチパネル型ディスプレイ１１側に張り出してくることになり、作業スペースの減少になり利便性が低下してしまう。そのため本実施例においては、上部台座プレート２２と下部台座プレート２３に違った材質を使用する。すなわち上部台座プレート２２の比重よりも下部台座プレート２３の比重が、できるだけ大きいもの選ぶ。そうすると引き出した下部台座プレート２３の重力が支点Ａに対し、客側の操作の力３２と反対の回転モーメント有するため、下部台座プレート２３が重ければ重いほど、転倒しにくい方向に作用させることが可能である。これにより台座プレート２１を必要以上に大きくせずに済む。以上の議論は比重差をつけなくても上部プレート２２と下部プレート２３の重量差をつければ同等の効果が得られるが、比重差をつければより効果的である。
【００２７】
図４は、本発明の第２の実施形態に係るタワー型ＰＯＳ端末装置本体にオプションのディスプレイを取り付けた時の側面図である。実施例１では、上部台座プレート２２と下部台座プレート２３の材質に比重差や質量差をつけて転倒防止をはかったが、上部台座プレート２２と下部台座プレート２３の材質の比重が同じ場合や、タッチパネル型ディスプレイ２０が大型のため、さらに転倒しにくくしなければならないといった場合、引き出した下部台座プレート２３の上に、錘４０を追加して固定した図である。これにより客側の操作の力２７で転倒することが防止され、台座プレート２３の底面サイズを必要以上に大きくすることがない。
【００２８】
また、この取付具３１の回転可動部は、通常の客側の操作の力３２の範囲内であれば回転することはないが、それ以上の力がかかった時、ある一定量の角度だけ回転できるような構造をもっている。このような構造にすれば、客側の操作の力３２によって転倒することを確実に防止できる。
【００２９】
図５は、本発明の第３の実施形態に係るタワー型ＰＯＳ端末装置本体にオプションのディスプレイを取り付けた時の側面図である。本実施例においては、タッチパネル型ディスプレイ３０をカバー１３に取り付けるのではなく、取付具５０を引き出した下部台座プレート２３の上にネジ等で固定して取り付け、錘４０の代わりとする。また、この取付具５０は回転可動部を有しており、通常の客側の操作の力３２の範囲内であれば回転することはないが、それ以上の力がかかった時、ある一定量の角度だけ回転できるような構造をもっている。このような構造にすれば、客側の操作の力３２によって転倒することを確実に防止できる。
【００３０】
上述の説明では、説明をわかりやすくするため、店側のタッチパネル型ディスプレイ１１に対して客側のタッチパネル型ディスプレイ３０を１８０°対面に配置した単純な構成にて説明したが、このような配置はＰＯＳ端末装置の現場では必ずしも便利でない。店側と客側のパネルの角度は１２０°程度に配置した方が接客位置での視認性もよく操作しやすい。したがって本発明の第３の実施例で言えば、追加したいタッチパネル型ディスプレイ３０を設置したい方向に引き出すことが可能な構造とし、下部台座プレート２３上に取付具５０を用意すれば、システム設計上自由な配置が可能となる。
【００３１】
以上のべたように、本発明のタワー型端末装置によれば、オプションで追加するタッチパネル型ディスプレイの重心移動と操作者のパネル操作の力を加味しているので、最小限のサイズの台座プレートで、倒れにくいタワー型端末装置が実現できる。システム構成に応じて周辺機器の配置を自由に可変できる構造をもっているので、設計の自由度が増し最適なデザインにて設置面積を設計できる。さらに端末装置の転倒事故や、ぐらつくことによるタッチパネル型ディスプレイへの操作感低下といった問題も解決できる。
【００３２】
本実施形態は、タワー型ＰＯＳ端末装置において適用したものであるが、本発明に係る特徴的な構成は、ＰＯＳ機能のないレジ端末などＰＯＳ端末装置以外にも適用できることは言うまでもない。
【００３３】
また、本発明は上記実施形態そのままに限定されるものではなく、実施段階ではその要旨を逸脱しない範囲で構成要素を変形して具体化できる。上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【符号の説明】
【００３４】
１０…ＰＯＳ端末部
１１、３０…タッチパネル型ディスプレイ
１２…取付穴
１３…カバー
１４…取付部
２０、２４…ネジ
２１…台座プレート
２２…上部台座プレート
２３…下部台座プレート
２５…足
２６…回転可動部
２７…店側の操作の力
３１、５０…回転可動部付き取付具
３２…客側の操作の力
４０…錘
【図１】
2010218125.tif 000003
【図２】
2010218125.tif 000004
【図３】
2010218125.tif 000005
【図４】
2010218125.tif 000006
【図５】
2010218125.tif 000007